(57)【要約】【課題】通信端末のネットワークへ接続するための時間を短縮し、また接続するための消費電力を削減する。【解決手段】ＧＰＳ衛星から時刻情報と通信端末が存在する位置を示す位置情報とを取得し、取得した位置情報と、緯度および経度によって特定される位置を示す位置情報と当該位置において同期をとるための同期信号のタイミングとを対応付けた対応付け情報とに基づいて、端末と基地局との間で同期をとるための同期信号のタイミングを特定する。【選択図】図１
2010045663.tif 000002
【特許請求の範囲】
【請求項１】
無線通信機能を有する通信端末であって、
ＧＰＳ衛星から時刻情報と当該通信端末が存在する位置を示す位置情報とを取得するＧＰＳモジュールと、
前記ＧＰＳモジュールが取得した位置情報と、緯度および経度によって特定される位置を示す位置情報と該位置において同期をとるための同期信号のタイミングとを対応付けた対応付け情報とに基づいて、当該通信端末と、当該通信端末と接続される無線基地局との間で同期をとるための同期信号のタイミングを特定する制御部とを有する通信端末。
【請求項２】
請求項１に記載の通信端末において、
前記対応付け情報を格納するサーバから、前記ＧＰＳモジュールが取得した位置情報に基づいて前記制御部が決定した範囲に含まれる対応付け情報を取得する受信部と、
前記制御部は、前記ＧＰＳモジュールが取得した位置情報と前記受信部が取得した対応付け情報とに基づいて、当該通信端末と前記無線基地局との間で同期をとるための同期信号のタイミングを特定することを特徴とする通信端末。
【請求項３】
請求項２に記載の通信端末において、
前記制御部は、前記ＧＰＳモジュールが取得した位置情報である緯度および経度それぞれの所定のビットと前記受信部が取得した対応付け情報とに基づいて、当該通信端末と前記無線基地局との間で同期をとるための同期信号のタイミングを特定することを特徴とする通信端末。
【請求項４】
請求項２に記載の通信端末において、
前記受信部が取得した対応付け情報を記憶する記憶部を有し、
前記制御部は、前記ＧＰＳモジュールが取得した位置情報と前記記憶部に記憶された対応付け情報とに基づいて、当該通信端末と前記無線基地局との間で同期をとるための同期信号のタイミングを特定することを特徴とする通信端末。
【請求項５】
請求項１乃至４のいずれか１項に記載の通信端末において、
前記無線基地局を介して、ＷｉＭＡＸネットワークと接続されることを特徴とする通信端末。
【請求項６】
無線基地局を介して通信端末とネットワークとを接続する接続方法であって、
ＧＰＳ衛星から時刻情報と前記通信端末が存在する位置を示す位置情報とを取得する処理と、
前記取得した位置情報と、緯度および経度によって特定される位置を示す位置情報と該位置において同期をとるための同期信号のタイミングとを対応付けた対応付け情報とに基づいて、前記通信端末と前記無線基地局との間で同期をとるための同期信号のタイミングを特定する処理とを有する接続方法。
【請求項７】
請求項６に記載の接続方法において、
前記取得した位置情報に基づいて、前記対応付け情報を取得する範囲を決定する処理と、
前記対応付け情報を格納するサーバから、前記範囲に含まれる対応付け情報を取得する処理と、
前記取得した位置情報と前記範囲に含まれる対応付け情報とに基づいて、前記通信端末と前記無線基地局との間で同期をとるための同期信号のタイミングを特定する処理とを有することを特徴とする接続方法。
【請求項８】
請求項７に記載の接続方法において、
前記取得した位置情報である緯度および経度それぞれの所定のビットと前記範囲に含まれる対応付け情報とに基づいて、前記通信端末と前記無線基地局との間で同期をとるための同期信号のタイミングを特定する処理を有することを特徴とする接続方法。
【請求項９】
請求項７に記載の接続方法において、
前記範囲に含まれる対応付け情報を前記通信端末に記憶する処理と、
前記取得した位置情報と前記記憶された対応付け情報とに基づいて、前記通信端末と前記無線基地局との間で同期をとるための同期信号のタイミングを特定する処理とを有することを特徴とする接続方法。
【請求項１０】
無線通信機能を有する通信端末に、
ＧＰＳ衛星から時刻情報と当該通信端末が存在する位置を示す位置情報とを取得する手順と、
前記取得した位置情報と、緯度および経度によって特定される位置を示す位置情報と該位置において同期をとるための同期信号のタイミングとを対応付けた対応付け情報とに基づいて、当該通信端末と、当該通信端末と接続される無線基地局との間で同期をとるための同期信号のタイミングを特定する手順とを実行させるプログラム。
【請求項１１】
請求項１０に記載のプログラムにおいて、
前記取得した位置情報に基づいて、前記対応付け情報を取得する範囲を決定する手順と、
前記対応付け情報を格納するサーバから、前記範囲に含まれる対応付け情報を取得する手順と、
前記取得した位置情報と前記範囲に含まれる対応付け情報とに基づいて、前記通信端末と前記無線基地局との間で同期をとるための同期信号のタイミングを特定する手順とを実行させることを特徴とするプログラム。
【請求項１２】
請求項１１に記載の接続方法において、
前記取得した位置情報である緯度および経度それぞれの所定のビットと前記範囲に含まれる対応付け情報とに基づいて、当該通信端末と前記無線基地局との間で同期をとるための同期信号のタイミングを特定する手順を実行させることを特徴とするプログラム。
【請求項１３】
請求項１１に記載の接続方法において、
前記範囲に含まれる対応付け情報を当該通信端末に記憶する手順と、
前記取得した位置情報と前記記憶された対応付け情報とに基づいて、当該通信端末と前記無線基地局との間で同期をとるための同期信号のタイミングを特定する手順とを実行させることを特徴とするプログラム。
【発明の詳細な説明】
【技術分野】
【０００１】
本発明は、無線基地局との間にて通信を行う通信端末、通信端末における無線基地局との接続方法およびプログラムに関する。
【背景技術】
【０００２】
無線技術を用いた無線通信システムにおいて通信端末は、無線基地局から送出されている同期信号に同期して、各種データのやりとりを行うことによりネットワーク接続を実現している。
【０００３】
図１０は、一般的な無線通信システムの一形態を示す図である。
【０００４】
図１０に示した無線通信システムには、端末１００１と、基地局１００２と、ネットワーク１００３とが設けられている。
【０００５】
端末１００１は、無線通信機能を有する通信端末である。例えば、携帯電話や携帯端末が挙げられる。
【０００６】
基地局１００２は、端末１００１とネットワーク１００３とを接続する無線基地局である。
【０００７】
ネットワーク１００３は、通信ネットワークであり、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のネットワークであっても良い。
【０００８】
ここで、端末１００１と基地局１００２との間で送受信されるデータは、上述した同期信号に同期して送受信されなければならない。そのため、端末１００１は、基地局１００２から送信されてくる同期信号の送信時刻（時間的位置）を検出する必要がある。
【０００９】
端末１００１が、基地局１００２から送信されてくる同期信号を検出するためには、所定の時間（例えば、２フレーム分の時間）、同期信号の検索（サーチ）動作を行っている（例えば、特許文献１参照。）。
【００１０】
図１１は、図１０に示したネットワーク１００３がＷｉＭＡＸのネットワークである場合の端末１００１と基地局１００２との間で送受信されるデータフレームのフォーマットを示す図である。
【００１１】
図１１に示すように、端末１００１と基地局１００２との間で送受信されるデータフレームは、データフレームの先頭を示すプリアンブルと、下りデータであるＤＬと、上りデータであるＵＬと、端末１００１と基地局１００２との伝搬遅延を吸収するためのＧａｐ時間であるＴＴＧ／ＲＴＧとから構成されている。ここで、端末１００１と基地局１００２との間で同期をとるための同期信号として、プリアンブルが用いられる。このデータフレームが、所定の周期（ＷｉＭＡＸシステムにおいては５ｍｓ周期）で基地局１００２と端末１００１との間で送受信される。
【特許文献１】特開２０００−１７５２３８号公報
【発明の開示】
【発明が解決しようとする課題】
【００１２】
図１２は、図１０に示した無線通信システムにおける端末１００１の一般的な同期信号検索動作のタイミングの一例を示す図である。ここでは、基地局１００２から送信されてくるデータフレームの先頭のＰＲ（プリアンブル）を同期信号をして用いる場合を例に挙げて説明する。
【００１３】
まずは、周波数ｆ１にて、２フレーム分の時間（時間ｔａ）、同期信号の検索（サーチ）処理が行われる。このとき、端末１００１にて時間ｔａの間、無線ＰｏｗｅｒをＯＮ、レシーバをＯＮの状態として検索処理が行われる。
【００１４】
周波数ｆ１にて同期信号が検出されない場合、周波数を周波数ｆ２に切り替えて、さらに時間ｔａの間、無線ＰｏｗｅｒをＯＮ、レシーバをＯＮの状態として同期信号の検索処理が行われる。
【００１５】
周波数ｆ２にて同期信号が検出された場合、図１２に示す全体のサーチ時間がかかってしまう。
【００１６】
このように、同期信号の位置が端末１００１にて認識できていないため、所定の時間、検索処理を行わなければならない。そのために、検索処理にかかる電力の無駄な消費が生じてしまい、また、検索処理に時間がかかってしまうという問題点がある。
【００１７】
本発明は、上述した課題を解決する通信端末、接続方法およびプログラムを提供することを目的とする。
【課題を解決するための手段】
【００１８】
上記目的を達成するために本発明は、
無線通信機能を有する通信端末であって、
ＧＰＳ衛星から時刻情報と当該通信端末が存在する位置を示す位置情報とを取得するＧＰＳモジュールと、
前記ＧＰＳモジュールが取得した位置情報と、緯度および経度によって特定される位置を示す位置情報と該位置において同期をとるための同期信号のタイミングとを対応付けた対応付け情報とに基づいて、当該通信端末と、当該通信端末と接続される無線基地局との間で同期をとるための同期信号のタイミングを特定する制御部とを有する。
【００１９】
また、無線基地局を介して通信端末とネットワークとを接続する接続方法であって、
ＧＰＳ衛星から時刻情報と前記通信端末が存在する位置を示す位置情報とを取得する処理と、
前記取得した位置情報と、緯度および経度によって特定される位置を示す位置情報と該位置において同期をとるための同期信号のタイミングとを対応付けた対応付け情報とに基づいて、前記通信端末と前記無線基地局との間で同期をとるための同期信号のタイミングを特定する処理とを有する。
【００２０】
また、無線通信機能を有する通信端末に実行させるプログラムであって、
ＧＰＳ衛星から時刻情報と当該通信端末が存在する位置を示す位置情報とを取得する手順と、
前記取得した位置情報と、緯度および経度によって特定される位置を示す位置情報と該位置において同期をとるための同期信号のタイミングとを対応付けた対応付け情報とに基づいて、当該通信端末と、当該通信端末と接続される無線基地局との間で同期をとるための同期信号のタイミングを特定する手順とを実行させる。
【発明の効果】
【００２１】
以上説明したように本発明においては、ＧＰＳ衛星から時刻情報と通信端末が存在する位置を示す位置情報とを取得し、取得した位置情報と、緯度および経度によって特定される位置を示す位置情報と当該位置において同期をとるための同期信号のタイミングとを対応付けた対応付け情報とに基づいて、当該通信端末と無線基地局との間で同期をとるための同期信号のタイミングを特定する構成としたため、通信端末のネットワークへ接続するための時間を短縮し、また接続するための消費電力を削減することができる。
【発明を実施するための最良の形態】
【００２２】
以下に、本発明の実施の形態について図面を参照して説明する。
【００２３】
図１は、本発明の通信端末の実施の一形態を示す図である。
【００２４】
本形態は図１に示すように、端末１０１と、基地局１０２と、ネットワーク１０３と、ＧＰＳ衛星１０４と、サーバ１０５とから構成されている。
【００２５】
端末１０１は、無線通信機能を有する通信端末である。例えば、携帯電話や携帯端末が挙げられる。また、端末１０１には、ＧＰＳ（Ｇｌｏｂａｌ  Ｐｏｓｉｔｉｏｎｉｎｇ  Ｓｙｓｔｅｍ）受信機能が設けられている。
【００２６】
基地局１０２は、端末１０１とネットワーク１０３とを接続する無線基地局である。
【００２７】
ネットワーク１０３は、通信ネットワークであり、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のネットワークであっても良い。
【００２８】
ＧＰＳ衛星１０４は、時刻情報や端末１０１の位置情報を端末１０１へ送信する一般的なものである。
【００２９】
サーバ１０５は、緯度および経度によって特定される位置を示す位置情報と該位置において使用される周波数とを対応付けた対応付け情報を格納する。
【００３０】
図２は、図１に示した端末１０１の内部構成の一例を示す図である。
【００３１】
図１に示した端末１０１には図２に示すように、受信部１１１と、パワー制御部１１２と、ＧＰＳモジュール１１３と、記憶部１１４と、表示部１１５と、これらを制御する制御部１１６とが設けられている。
【００３２】
受信部１１１は、基地局１０２から送信された無線信号を受信する。受信された信号を電気信号へ変換して制御部１１６へ出力する。
【００３３】
パワー制御部１１２は、同期信号の検出処理を行う際に、無線パワーの制御を行う。
【００３４】
ＧＰＳモジュール１１３は、ＧＰＳ衛星１０４から送信された時刻情報と位置情報とを取得する一般的なモジュールである。
【００３５】
記憶部１１４は、情報を記憶するメモリである。
【００３６】
表示部１１５は、情報を表示する一般的なディスプレイである。
【００３７】
制御部１１６は、これらの構成要素を制御する。また、受信部１１１から出力された信号と、記憶部１１４に記憶されている情報とに基づいて、同期信号の検索処理を行う。また、受信部１１１から出力された信号のうち、後述する対応付け情報を記憶部１１４に記憶させる。
【００３８】
なお、図２には図１に示した端末１０１が有する構成要素のうち、本発明に関わる構成要素のみを示した。
【００３９】
以下に、本形態における端末１０１と基地局１０２との接続方法について説明する。
【００４０】
図３は、図１および図２に示した形態における端末１０１と基地局１０２との接続方法を説明するためのタイミングチャートである。ここで、基地局１０２からタイミングｔ２で同期信号が送信されてきている場合を例に挙げて説明する。また、基地局１０２から送信されてくるデータフレームの先頭のＰＲ（プリアンブル）を同期信号として用いる場合を例に挙げて説明する。
【００４１】
まず、端末１０１のＧＰＳモジュール１１３にて、ＧＰＳ衛星１０４から時刻情報および端末１０１の位置情報が取得される（タイミングＴ１）。
【００４２】
すると、取得した位置情報と記憶部１１４に記憶されている情報（以下に述べる、ブロック特定テーブルと同期信号タイミング特定テーブル）とに基づいて、当該位置情報が示す位置において基地局から送信されてくる同期信号のタイミングが制御部１１６にて特定される（タイミングＴ２。）
ここで、図１に示したネットワーク１０３と接続された通信システムにおいて、通信範囲が緯度および経度により１６種類（パターン）のブロックからなる複数の区域に分割されていることを前提とする。そして、１６種類のブロックそれぞれにて基地局から送信されてくる同期信号のタイミングが定義されている。
【００４３】
図４は、緯度および経度により１６種類のブロックからなる複数の区域に分割された通信範囲の一例を示す図である。
【００４４】
図４に示すように、通信範囲が緯度および経度により、１６種類のブロック（ブロック１〜１６）からなる複数の区域に分割されている。１６種類のブロックそれぞれに対応した周波数が本システムにてそれぞれ設定されている。ここで、図４に示した１つのマス（区域）の大きさの単位は、緯度および経度が示す０°０４’である。つまり、位置情報の緯度および経度が示す「Ｘ分」を２進数に変換した数値の最下位ビットから３ビット目と４ビット目との２ビットに基づいて、当該位置がどのブロックに属するのかを特定することができる。
【００４５】
図５は、図２に示した記憶部１１４に記憶されているブロック特定テーブルの構造の一例を示す図である。
【００４６】
図２に示した記憶部１１４に記憶されているブロック特定テーブルは図５に示すように、緯度および経度の所定のビットと位置情報とが対応付けられている。ここで、緯度および経度の所定のビットは、上述したように緯度および経度が示す「Ｘ分」を２進数に変換した数値の最下位ビットから３ビット目と４ビット目との２ビットを用いている。
【００４７】
例えば、緯度の所定のビット「００」および経度の所定のビット「００」と位置情報「ブロック１」とが対応付けられて記憶されている。これは、ＧＰＳモジュール１１３が取得した緯度の所定のビットが「００」であり、且つ経度の所定のビットが「００」である位置情報は「ブロック１」であることを示している。また、緯度の所定のビット「００」および経度の所定のビット「０１」と位置情報「ブロック２」とが対応付けられて記憶されている。これは、ＧＰＳモジュール１１３が取得した緯度の所定のビットが「００」であり、且つ経度の所定のビットが「０１」である位置情報は「ブロック２」であることを示している。また、緯度の所定のビット「００」および経度の所定のビット「１０」と位置情報「ブロック３」とが対応付けられて記憶されている。これは、ＧＰＳモジュール１１３が取得した緯度の所定のビットが「００」であり、且つ経度の所定のビットが「１０」である位置情報は「ブロック３」であることを示している。また、緯度の所定のビット「００」および経度の所定のビット「１１」と位置情報「ブロック４」とが対応付けられて記憶されている。これは、ＧＰＳモジュール１１３が取得した緯度の所定のビットが「００」であり、且つ経度の所定のビットが「１１」である位置情報は「ブロック４」であることを示している。また、緯度の所定のビット「０１」および経度の所定のビット「００」と位置情報「ブロック５」とが対応付けられて記憶されている。これは、ＧＰＳモジュール１１３が取得した緯度の所定のビットが「０１」であり、且つ経度の所定のビットが「００」である位置情報は「ブロック５」であることを示している。また、緯度の所定のビット「０１」および経度の所定のビット「０１」と位置情報「ブロック６」とが対応付けられて記憶されている。これは、ＧＰＳモジュール１１３が取得した緯度の所定のビットが「０１」であり、且つ経度の所定のビットが「０１」である位置情報は「ブロック６」であることを示している。また、緯度の所定のビット「０１」および経度の所定のビット「１０」と位置情報「ブロック７」とが対応付けられて記憶されている。これは、ＧＰＳモジュール１１３が取得した緯度の所定のビットが「０１」であり、且つ経度の所定のビットが「１０」である位置情報は「ブロック７」であることを示している。また、緯度の所定のビット「０１」および経度の所定のビット「１１」と位置情報「ブロック８」とが対応付けられて記憶されている。これは、ＧＰＳモジュール１１３が取得した緯度の所定のビットが「０１」であり、且つ経度の所定のビットが「１１」である位置情報は「ブロック８」であることを示している。また、緯度の所定のビット「１０」および経度の所定のビット「００」と位置情報「ブロック９」とが対応付けられて記憶されている。これは、ＧＰＳモジュール１１３が取得した緯度の所定のビットが「１０」であり、且つ経度の所定のビットが「００」である位置情報は「ブロック９」であることを示している。また、緯度の所定のビット「１０」および経度の所定のビット「０１」と位置情報「ブロック１０」とが対応付けられて記憶されている。これは、ＧＰＳモジュール１１３が取得した緯度の所定のビットが「１０」であり、且つ経度の所定のビットが「０１」である位置情報は「ブロック１０」であることを示している。また、緯度の所定のビット「１０」および経度の所定のビット「１０」と位置情報「ブロック１１」とが対応付けられて記憶されている。これは、ＧＰＳモジュール１１３が取得した緯度の所定のビットが「１０」であり、且つ経度の所定のビットが「１０」である位置情報は「ブロック１１」であることを示している。また、緯度の所定のビット「１０」および経度の所定のビット「１１」と位置情報「ブロック１２」とが対応付けられて記憶されている。これは、ＧＰＳモジュール１１３が取得した緯度の所定のビットが「１０」であり、且つ経度の所定のビットが「１１」である位置情報は「ブロック１２」であることを示している。また、緯度の所定のビット「１１」および経度の所定のビット「００」と位置情報「ブロック１３」とが対応付けられて記憶されている。これは、ＧＰＳモジュール１１３が取得した緯度の所定のビットが「１１」であり、且つ経度の所定のビットが「００」である位置情報は「ブロック１３」であることを示している。また、緯度の所定のビット「１１」および経度の所定のビット「０１」と位置情報「ブロック１４」とが対応付けられて記憶されている。これは、ＧＰＳモジュール１１３が取得した緯度の所定のビットが「１１」であり、且つ経度の所定のビットが「０１」である位置情報は「ブロック１４」であることを示している。また、緯度の所定のビット「１１」および経度の所定のビット「１０」と位置情報「ブロック１５」とが対応付けられて記憶されている。これは、ＧＰＳモジュール１１３が取得した緯度の所定のビットが「１１」であり、且つ経度の所定のビットが「１０」である位置情報は「ブロック１５」であることを示している。また、緯度の所定のビット「１１」および経度の所定のビット「１１」と位置情報「ブロック１６」とが対応付けられて記憶されている。これは、ＧＰＳモジュール１１３が取得した緯度の所定のビットが「１１」であり、且つ経度の所定のビットが「１１」である位置情報は「ブロック１６」であることを示している。
【００４８】
このブロック特定テーブルにより、ＧＰＳモジュール１１３が取得した緯度および経度の所定のビットのみから位置情報（ブロック）を得ることができる。
【００４９】
図６は、図２に示した記憶部１１４に記憶されている同期信号タイミング特定テーブルの構造の一例を示す図である。
【００５０】
図２に示した記憶部１１４に記憶されている同期信号タイミング特定テーブルは図６に示すように、位置情報と同期信号のタイミングである同期信号タイミングとが対応付けられている。
【００５１】
例えば、位置情報「ブロック１」と同期信号タイミング「ｔ１」とが対応付けられて記憶されている。これは、図４に示した「ブロック１」に端末１０１が存在する場合に基地局１０２から同期信号が送信されてくるタイミングが「ｔ１」であることを示している。また、位置情報「ブロック２」と同期信号タイミング「ｔ２」とが対応付けられて記憶されている。これは、図４に示した「ブロック２」に端末１０１が存在する場合に基地局１０２から同期信号が送信されてくるタイミングが「ｔ２」であることを示している。また、位置情報「ブロック３」と同期信号タイミング「ｔ３」とが対応付けられて記憶されている。これは、図４に示した「ブロック３」に端末１０１が存在する場合に基地局１０２から同期信号が送信されてくるタイミングが「ｔ３」であることを示している。また、位置情報「ブロック１５」と同期信号タイミング「ｔ５」とが対応付けられて記憶されている。これは、図４に示した「ブロック１５」に端末１０１が存在する場合に基地局１０２から同期信号が送信されてくるタイミングが「ｔ５」であることを示している。また、位置情報「ブロック１６」と同期信号タイミング「ｔ６」とが対応付けられて記憶されている。これは、図４に示した「ブロック１６」に端末１０１が存在する場合に基地局１０２から同期信号が送信されてくるタイミングが「ｔ６」であることを示している。
【００５２】
このように、記憶部１１４に記憶されている同期信号タイミング特定テーブルを用いれば、１６種類のブロックに割り当てられたそれぞれの位置に応じた同期信号が送信されてくるタイミングを特定することができる。
【００５３】
ここで、図４に示した各ブロックの大きさについて説明する。
【００５４】
図７は、一般的な区画エリア（図４に示したブロック）から算出されるタイミングとＷｉＭＡＸシステムにおける基地局の設定タイミングとの関係の一例を示す図である。
【００５５】
図７に示すように、一般的な区画エリア（図中の正方形とする）から算出されるタイミングをＴ１〜Ｔ６とし、ＷｉＭＡＸシステムにおける基地局（基地局のカバーエリアを図中の円とする）の設定タイミングをｔ１〜ｔ６とすると、ＷｉＭＡＸシステムにおける基地局がカバーするエリアを最も広く含む区画エリアのタイミングを設定タイミングとする。あるいは、基地局がカバーするエリアの中に位置するＷｉＭＡＸ端末の多くが位置する区画エリアのタイミングを当該基地局の設定タイミングとしても良い。
【００５６】
図８は、一般的な区画エリアがＷｉＭＡＸシステムにおける基地局のカバーエリアよりも小さな場合のそれぞれのタイミングの関係の一例を示す図である。
【００５７】
図８に示すように、例えば、「Ａ」のカバーエリアを有する基地局が使用するタイミングは、Ｔ３，Ｔ１，Ｔ６およびＴ４と多義になってしまう。また、「Ｂ」のカバーエリアを有する基地局が使用するタイミングは、Ｔ４，Ｔ５，Ｔ６，Ｔ１，Ｔ２およびＴ３と多義になってしまう。また、「Ｃ」のカバーエリアを有する基地局が使用するタイミングは、Ｔ１，Ｔ２，Ｔ４およびＴ５と多義になってしまう。そのため、区画エリアから算出されるタイミングが、ＷｉＭＡＸシステムにおける基地局に曖昧さが低く割り当てられるようにするためには、ＷｉＭＡＸシステムにおける基地局のカバーエリアよりも広い区画エリアが必要となる。例えば、区画エリアの辺の長さをＷｉＭＡＸシステムにおける基地局のカバーエリアの直径の２倍程度としても良い。
【００５８】
なお、図５および図６に示したテーブルは、大容量の記憶領域を有するサーバ１０５に格納されている広範囲（例えば、日本国内すべて等）の緯度および経度に対応した位置情報と周波数とを対応付けた対応付け情報のうち、端末１０１が存在する特定範囲（例えば、区や市、県等）に応じた部分だけを取得したものである。この場合、ＧＰＳモジュール１１３が取得した端末１０１の位置情報に基づいて、制御部１１６によって所定の範囲（テーブル範囲）が決定され、決定されたテーブル範囲の情報が取得される。このテーブル範囲は、位置情報とあらかじめ設定されている閾値とに基づいて算出されるものであっても良い。例えば、閾値が半径１０ｋｍである場合、ＧＰＳモジュール１１３が取得した端末１０１の位置から半径１０ｋｍの範囲がテーブル範囲として決定され、当該範囲内に含まれる対応付け情報が取得される。また、ＧＰＳモジュール１１３が取得した端末１０１の位置情報から、当該位置の属する区や市、県等が判別され、判別された区や市、県等がテーブル範囲として決定されるものであっても良い。
【００５９】
また、取得の方法は、サーバ１０５に端末１０１を直接接続して取得するものであっても良いし、ネットワーク１０３を介してサーバ１０５から取得するものであっても良い。具体的には、受信部１１１にて受信した信号のうち、対応付け情報が制御部１１６によって記憶部１１４に記憶される。このとき、図５および図６に示した各テーブルの形式で記憶されるものであっても良い。
【００６０】
例えば、タイミングＴ１においてＧＰＳ衛星１０４からＧＰＳモジュール１１３にて取得された位置情報が示す緯度の所定のビットが「００」であり、且つ経度の所定のビットが「０１」である場合、制御部１１６によって記憶部１１４に記憶されているブロック特定テーブルが参照され、端末１０１はブロック２に存在すると認識される。また、制御部１１６によって記憶部１１４に記憶されている同期信号タイミング特定テーブルが参照され、ブロック２に対応する同期信号タイミング「ｔ２」が特定される。
【００６１】
そして、特定されたタイミング「ｔ２」を用いて周波数がサーチ（検索）される。まずは周波数ｆ１にてサーチが行われる（タイミングＴ３）。周波数ｆ１にて同期信号が検出されない場合は、周波数がｆ１からｆ２へ切り替えられる（タイミングＴ４）。そして、周波数ｆ２にてサーチが行われる（タイミングＴ５）。
【００６２】
このとき、同期信号の検索処理は、特定されたタイミング「ｔ２」から同期信号（プリアンブル）の長さだけ行われる。つまり、特定されたタイミング「ｔ２」から同期信号（プリアンブル）の長さである時間、受信部１１１にて受信された信号の同期信号検索処理が行われる。なお、同期信号検索処理のためにパワー制御部１１２にて時間ｔｂの間、無線パワーがＯＮとなる。
【００６３】
このように同期信号のタイミングを特定することにより、全体のサーチ時間が短縮される。
【００６４】
同期信号が検出された後、周波数「ｆ２」および検出された同期信号を用いて、端末１０１が基地局１０２を介してネットワーク１０３に接続される。
【００６５】
ここで、上述した処理を用いて特定したタイミングで端末１０１が基地局１０２から送信されてくる信号を受信することができない場合が考えられる。
【００６６】
以下に、上述した処理を用いて特定したタイミングで端末１０１が基地局１０２から送信されてくる信号を受信することができない場合の処理について説明する。
【００６７】
図９は、特定したタイミングで端末１０１が基地局１０２から送信されてくる信号を受信することができない位置に存在する場合の一例を示す図である。
【００６８】
図９に示すように、例えば、端末ａ及び端末ｂは区画エリアに基づいてタイミングＴ１を算出する。また、ＷｉＭａｘシステムの基地局のタイミングもｔ1である。そのため、正常にタイミングを捕捉可能である。
【００６９】
しかしながら、端末ｃは区画エリアに基づいて算出されるタイミングはＴ４であるにもかかわらず、自身と通信可能なＷｉＭａｘシステムの基地局はｔ4のタイミングではなく、ｔ1のタイミングである。そのため、区画エリアから算出したタイミングでは正常にタイミングを捕捉不可能となってしまう。
【００７０】
このような場合は、図１２を用いて説明した一般的な同期信号のタイミングの検索動作を行う。
【００７１】
なお、上述した端末１０１の処理は、目的に応じて作製された論理回路で行うようにしても良い。また、処理内容を手順として記述したプログラムを端末１０１にて読取可能な記録媒体に記録し、この記録媒体に記録されたプログラムを端末１０１に読み込ませ、実行するものであっても良い。端末１０１にて読取可能な記録媒体とは、フロッピーディスク（登録商標）、光磁気ディスク、ＤＶＤ、ＣＤなどの移設可能な記録媒体の他、端末１０１に内蔵されたＲＯＭ、ＲＡＭ等のメモリやＨＤＤ等を指す。この記録媒体に記録されたプログラムは、端末１０１内の制御部１１６にて読み込まれ、制御部１１６の制御によって、上述したものと同様の処理が行われる。ここで、端末１０１は、プログラムが記録された記録媒体から読み込まれたプログラムを実行するコンピュータとして動作するものである。
【００７２】
以上により、端末１０１が基地局１０２を介してネットワーク１０３に接続する際に、長時間の検索処理を行う必要がなくなる。これにより、検索処理にかかる電力の無駄な消費を省くことが可能となり、また、検索処理にかかる時間を短縮することができる。つまり、端末１０１のネットワーク１０３へ接続するための時間を容易に短縮し、また接続するための消費電力を容易に削減することができる。
【図面の簡単な説明】
【００７３】
【図１】本発明の通信端末の実施の一形態を示す図である。
【図２】図１に示した端末の内部構成の一例を示す図である。
【図３】図１および図２に示した形態における端末と基地局との接続方法を説明するためのタイミングチャートである。
【図４】緯度および経度により１６種類のブロックからなる複数の区域に分割された通信範囲の一例を示す図である。
【図５】図２に示した記憶部に記憶されているブロック特定テーブルの構造の一例を示す図である。
【図６】図２に示した記憶部に記憶されている同期信号タイミング特定テーブルの構造の一例を示す図である。
【図７】一般的な区画エリアから算出されるタイミングとＷｉＭＡＸシステムにおける基地局の設定タイミングとの関係の一例を示す図である。
【図８】一般的な区画エリアがＷｉＭＡＸシステムにおける基地局のカバーエリアよりも小さな場合のそれぞれのタイミングの関係の一例を示す図である。
【図９】特定したタイミングで端末が基地局から送信されてくる信号を受信することができない位置に存在する場合の一例を示す図である。
【図１０】一般的な無線通信システムの一形態を示す図である。
【図１１】図１０に示したネットワークがＷｉＭＡＸのネットワークである場合の端末と基地局との間で送受信されるデータフレームのフォーマットを示す図である。
【図１２】図１０に示した無線通信システムにおける端末の一般的な同期信号検索動作のタイミングの一例を示す図である。
【符号の説明】
【００７４】
１０１    端末
１０２    基地局
１０３    ネットワーク
１０４    ＧＰＳ衛星
１０５    サーバ
１１１    受信部
１１２    パワー制御部
１１３    ＧＰＳモジュール
１１４    記憶部
１１５    表示部
１１６    制御部
【図１】
2010045663.tif 000003
【図２】
2010045663.tif 000004
【図３】
2010045663.tif 000005
【図４】
2010045663.tif 000006
【図５】
2010045663.tif 000007
【図６】
2010045663.tif 000008
【図７】
2010045663.tif 000009
【図８】
2010045663.tif 000010
【図９】
2010045663.tif 000011
【図１０】
2010045663.tif 000012
【図１１】
2010045663.tif 000013
【図１２】
2010045663.tif 000014